(57)【要約】      （修正有）【課題】ベッド用ガード装置の提供。【解決手段】関節装置１、一対の可動コーナー装置３、Ｔ形雄形継手５とＴ形雌形継手６、及び一対の折り曲げ装置１０を具えた三次元空間のベッド用ガード装置であり、該可動コーナー装置はＶ形弾性片により直立管に接続され、これにより分解／組立が容易とされ、該Ｔ形雌形／雌形継手がスライドスリーブで第１支持管８に接続され、且つＶ形弾性片により分解／組立が容易とされ、該折り曲げ装置のスライドキーと支持座の結合により使用者による分解／組立が容易とされている。さらに、本考案はＹ形可動帯１３とＬ形固定板１４によりマットレスに固定できる。【選択図】図１
0003101244.tif 000002
【実用新案登録請求の範囲】
【請求項１】
関節装置と、一対の可動コーナー装置と、Ｔ形雄形継手とＴ形雌形継手、一対の折り曲げ装置を具え、
該関節装置は、その両端にそれぞれ関節管が接続され、各関節管の一端が該関節装置に接続され、且つ各関節管の別端は扁平状とされ、
該一対の可動コーナー装置は、その一端がそれぞれ直立管に接続され、且つ各可動コーナー装置が扁平挟持部と挿入管部を具え、該扁平挟持部が該関節管の扁平端に対応して該関節管の扁平端を被覆しそれと固着され、且つ該挿入管部が該直立管に対応し第１Ｖ形弾性片により連結され、
該Ｔ形雄形継手とＴ形雌形継手は、それぞれ直立管の挿通に供され、並びにリベットで固定され、該Ｔ形雄形継手は水平雄型継手を具え、該水平雄型継手によりスライドスリーブと接続され、該スライドスリーブは第１支持管と接続され、該第１支持管は第２Ｖ形弾性片を具え該スライドスリーブのスライドを停止させることができ、該第１支持管が第２支持管に第３Ｖ形弾性片を利用して接続され、該Ｔ形雌形継手は第２支持管と接続される水平雌形継手を具え、
該一対の折り曲げ装置は、その一端が直立管に接続され、もう一端は水平支持管に接続され、各折り曲げ装置は更にスライドキー、支持座、弾性手段、及び係止手段を具え、該弾性手段は直立管内部に位置し並びに該係止手段により係止され、該直立管は長凹溝を具え、リベットにより該係止手段と該スライドキーが直立管の長凹溝の内側と外側に固定され、該スライドキーが該長凹溝内を移動可能とされ、並びに該支持座に固定され、且つ支持座の外郭が略Ｌ形を呈し、その垂直端が該直立管に接続され、該直立管が該支持座に対して回転自在とされ、該支持座の水平端が該水平支持管に固着されたことを特徴とする、ベッド用ガード装置。
【請求項２】
請求項１記載のベッド用ガード装置において、スライドキーが円柱体を具え、該円柱体の下端両側に沿ってＵ形係合部が設けられ、支持座の外郭が略Ｌ形を呈して、直立管と接続される垂直端に対立する一対の側板が設けられ、該側板の対立面に該Ｕ形係合部と対応し係合するＵ形凹溝が設けられ、これにより該スライドキーが該支持座に固定されることを特徴とする、ベッド用ガード装置。
【請求項３】
請求項１記載のベッド用ガード装置において、水平支持管が略扁平状とされたことを特徴とする、ベッド用ガード装置。
【請求項４】
請求項１記載のベッド用ガード装置において、第１Ｖ形弾性片、第２Ｖ形弾性片、第３Ｖ形弾性片がそれぞれその両端に凸部を具えたことを特徴とする、ベッド用ガード装置。
【請求項５】
請求項１記載のベッド用ガード装置において、Ｔ形雌形継手６の水平雌形継手が表面凹溝を具え、第２支持管にそれに対応する表面凹縁が設けられ、これにより第２支持管を一定方向に該水平雌形継手に挿入させることを特徴とする、ベッド用ガード装置。
【請求項６】
請求項１記載のベッド用ガード装置において、関節装置、関節管及び直立管を被覆する防護カバーが設けられたことを特徴とする、ベッド用ガード装置。
【請求項７】
請求項１記載のベッド用ガード装置において、Ｙ形可動帯とＬ形固定板を具え、該Ｙ形可動帯の両端が水平支持管に接続され、Ｙ形可動帯のもう一端がＬ形固定板に接続され、該Ｌ形固定板がマットレスを固定するのに供されることを特徴とする、ベッド用ガード装置。
【考案の詳細な説明】
【技術分野】
【０００１】
本考案は一種のベッド用ガード装置に係り、特に、改良されたベッド用ガード装置であって、使用者が容易に分解／組立できる装置に関する。
【背景技術】
【０００２】
ベビ−ベッド以外の一般のベッドに幼児を寝かせる時、ベッドからの転落を防止するためのガードがないため、幼児が地面に転落し怪我をする事故が起こり得る。
この問題に対して、本件出願人は既に特許文献１、２に記載の構造を提供しており、そのうち、特許文献１に記載のベッド用ガード装置は折り畳み式ベッド用ガード装置であり、相互に回動自在に接続されると共に固定できる２本の上棒と、相互に回動自在に接続されると共に固定できる２本の下棒、上端が対応する上棒に回動自在に接続された２本の直棒、及び対応する直棒下端に回動自在に接続された２本の横棒を具え、これら上棒、直棒と横棒が回動自在に接続されて一体に組み合わされ、展開、折り畳みの使用状態を形成可能とされている。
【０００３】
特許文献２のベッド用ガード装置は、特許文献１よりも小さい体積のベッド用ガード装置であり、固定フレーム、可動フレーム及び関節構造を具えている。該関節構造により該固定フレームと該可動フレームが連結されて、該固定フレームが該固定フレームの軸方向に対して回転可能とされ、該可動フレームにストッパ面材が結合されている。該固定フレームは二つの部分に分解可能で、且つ該可動フレームには折り曲げ装置が設けられ、固定フレームを分解後に、可動フレームを折り畳んで体積を小さくすることができ、収納に便利とされている。
【０００４】
【特許文献１】台湾特許出願第８５２１６３３０号明細書
【特許文献２】台湾特許出願第９０２０８０７５号明細書
【考案の開示】
【考案が解決しようとする課題】
【０００５】
本考案の第１の目的は、一種のベッド用ガード装置を提供することにあり、それは一般のベッド用ガード装置のないベッドに架設でき、且つ場所をとらずにベッドに防護機能を付与できる装置であるものとする。
【０００６】
本考案の第２の目的は、簡単に取付／分解でき、収納に便利なベッド用ガード装置を提供することにある。
【０００７】
本考案の第３の目的は、ガード装置の外部を改良した防護カバーで被覆し、もう一つの保護措置を提供し、幼児が遊ぶ時に手部が防護カバーに挟まれて事故が発生するのを防止できるようにすることにある。
【０００８】
本考案の第４の目的は、一組のＹ形可動帯をＬ形固定板に取り付け、ガード装置をしっかりとベッドに架設し、幼児が転がってガード装置がベッドから外れて危険な間隙が発生したり、或いは幼児が地面に落下する等の危険を防止できるようにすることにある。
【課題を解決するための手段】
【０００９】
請求項１の考案は、関節装置と、一対の可動コーナー装置と、Ｔ形雄形継手とＴ形雌形継手、一対の折り曲げ装置を具え、
該関節装置は、その両端にそれぞれ関節管が接続され、各関節管の一端が該関節装置に接続され、且つ各関節管の別端は扁平状とされ、
該一対の可動コーナー装置は、その一端がそれぞれ直立管に接続され、且つ各可動コーナー装置が扁平挟持部と挿入管部を具え、該扁平挟持部が該関節管の扁平端に対応して該関節管の扁平端を被覆しそれと固着され、且つ該挿入管部が該直立管に対応し第１Ｖ形弾性片により連結され、
該Ｔ形雄形継手とＴ形雌形継手は、それぞれ直立管の挿通に供され、並びにリベットで固定され、該Ｔ形雄形継手は水平雄型継手を具え、該水平雄型継手によりスライドスリーブと接続され、該スライドスリーブは第１支持管と接続され、該第１支持管は第２Ｖ形弾性片を具え該スライドスリーブのスライドを停止させることができ、該第１支持管が第２支持管に第３Ｖ形弾性片を利用して接続され、該Ｔ形雌形継手は第２支持管と接続される水平雌形継手を具え、
該一対の折り曲げ装置は、その一端が直立管に接続され、もう一端は水平支持管に接続され、各折り曲げ装置は更にスライドキー、支持座、弾性手段、及び係止手段を具え、該弾性手段は直立管内部に位置し並びに該係止手段により係止され、該直立管は長凹溝を具え、リベットにより該係止手段と該スライドキーが直立管の長凹溝の内側と外側に固定され、該スライドキーが該長凹溝内を移動可能とされ、並びに該支持座に固定され、且つ支持座の外郭が略Ｌ形を呈し、その垂直端が該直立管に接続され、該直立管が該支持座に対して回転自在とされ、該支持座の水平端が該水平支持管に固着されたことを特徴とする、ベッド用ガード装置としている。
請求項２の考案は、請求項１記載のベッド用ガード装置において、スライドキーが円柱体を具え、該円柱体の下端両側に沿ってＵ形係合部が設けられ、支持座の外郭が略Ｌ形を呈して、直立管と接続される垂直端に対立する一対の側板が設けられ、該側板の対立面に該Ｕ形係合部と対応し係合するＵ形凹溝が設けられ、これにより該スライドキーが該支持座に固定されることを特徴とする、ベッド用ガード装置としている。
請求項３の考案は、請求項１記載のベッド用ガード装置において、水平支持管が略扁平状とされたことを特徴とする、ベッド用ガード装置としている。
請求項４の考案は、請求項１記載のベッド用ガード装置において、第１Ｖ形弾性片、第２Ｖ形弾性片、第３Ｖ形弾性片がそれぞれその両端に凸部を具えたことを特徴とする、ベッド用ガード装置としている。
請求項５の考案は、請求項１記載のベッド用ガード装置において、Ｔ形雌形継手６の水平雌形継手が表面凹溝を具え、第２支持管にそれに対応する表面凹縁が設けられ、これにより第２支持管を一定方向に該水平雌形継手に挿入させることを特徴とする、ベッド用ガード装置としている。
請求項６の考案は、請求項１記載のベッド用ガード装置において、関節装置、関節管及び直立管を被覆する防護カバーが設けられたことを特徴とする、ベッド用ガード装置としている。
請求項７の考案は、請求項１記載のベッド用ガード装置において、Ｙ形可動帯とＬ形固定板を具え、該Ｙ形可動帯の両端が水平支持管に接続され、Ｙ形可動帯のもう一端がＬ形固定板に接続され、該Ｌ形固定板がマットレスを固定するのに供されることを特徴とする、ベッド用ガード装置としている。
【考案の効果】
【００１０】
本考案の提供するベッド用ガード装置は、一般のガード装置を具備しないベッドに架設可能で、場所をとらずベッドサイドのガードを行なう。さらに、その長所は簡単に分解、組立可能であり、収納に便利であることである。このほか、本考案のベッド用ガード装置は防護カバーが該ガード装置を被覆するほか、もう一つの保護措置がとられ、即ち、幼児が遊ぶ時に、手部が防護カバーに挟まれて事故が発生するのを防止している。
【００１１】
さらに、本考案は一組のＹ形可動帯とＬ形固定板を利用し、ガード装置を緊密にベッドに取り付けることができ、幼児が転がってガード装置が脱落して危険な間隙が形成されるのを防止し、また幼児が地面に落下するのを防止する。
【考案を実施するための最良の形態】
【００１２】
本考案は一種のベッド用ガード装置を提供し、それは、関節装置と、一対の可動コーナー装置と、Ｔ形雄形継手とＴ形雌形継手、一対の折り曲げ装置を具えている。該関節装置は二端がそれぞれ関節管に接続され、各関節管の一端が該関節装置に接続され、各関節管のもう一端が扁平状とされている。該一対の可動コーナー装置は、その一端が直立管に接続され、且つ各可動コーナー装置が扁平挟持部と挿入管部を具え、該扁平挟持部が該関節管の扁平端に対応し、並びに該関節管の扁平端が該扁平挟持部に被覆されて相互に固着され、且つ該挿入管部が該直立管に対応し並びに第１Ｖ形弾性片で相互に固着されている。該Ｔ形雄形継手とＴ形雌形継手は、それぞれ直立管の挿通並びに固定に供され、該Ｔ形雄形継手はスライドスリーブと接続される水平雄型継手を具え、該スライドスリーブは第１支持管と結合され、該第１支持管が該スライドスリーブのスライドを停止させるための第２Ｖ形弾性片を具え、該第１支持管と該第２支持管が第３Ｖ形弾性片で結合され、該Ｔ形雌形継手は第２支持管と接続される水平雌型継手を具えている。該一対の折り曲げ装置は、その一端が該直立管に接続され、且つそのもう一端が水平支持管に接続され、各折り曲げ装置が更にスライドキー、支持座、弾性手段及び係止手段を具え、そのうち該弾性手段は直立管内部に位置し並びに該係止手段により係止され、該直立管は長凹溝を具え、リベットで該係止手段と該スライドキーが該長凹溝の内側と外側に固定され、該スライドキーが該長凹溝において移動可能とされ、並びに該支持座に固定され、且つ支持座の外郭が略Ｌ形とされ、その垂直端が該直立管に接続され、該直立管が該支持座に対して回転するのに供され、その水平端が該水平支持管に固着されている。
【実施例１】
【００１３】
本考案は一種のベッド用ガード装置を提供し、それは、図１に示されるように、関節装置１と、一対の可動コーナー装置３と、Ｔ形雄形継手５とＴ形雌形継手６、一対の折り曲げ装置１０により、関節管２、直立管４、第１支持管８、第２支持管９、及び水平支持管１１が連結されてなる三次元空間のベッド用ガード装置である。好ましくは、図２に示されるように、本考案は関節装置１、関節管２、及び直立管４を被覆する防護カバー１２を更に具え、安全防護の機能を有するものとされ、全体構造の上端両側が該防護カバー１２内に被覆されて子供が手を防護カバーに挟んで怪我をするのを防止する。このほか、本考案は更にＹ形可動帯１３及びＬ形固定板１４を具え、該Ｙ形可動帯１３の両端１３Ａがそれぞれ該水平支持管１１に固定され、例えばリベットで固定され、該Ｙ形可動帯１３の別端が該Ｌ形固定板１４に接続され、且つ該Ｌ形固定板１４がマットレスＢとの固定に供され（図７の如し）、周知のように、該Ｙ形可動帯１３は調整可能で、マットレスのサイズにより長さを調整できる。
【００１４】
図３に示されるように、本考案の関節装置１は、実際には本件出願人が特許文献２において記載したものであり、その両端にはそれぞれ関節管２が接続され、各関節管２の一端は該関節装置１に接続され、且つ各関節管２の別端は扁平状とされる。使用時には、ボタン１００を押せば関節管２を矢印方向に移動させられ、図８のような収納結果を得られる。
【００１５】
各可動コーナー装置３は扁平挟持部３１と挿入管部３２を具え、該扁平挟持部３１は該関節管２の扁平端に対応し、並びに該関節管２の扁平端が該扁平挟持部３１に被覆されて相互に固着され、且つ該挿入管部３２は該直立管４に対応し並びに第１Ｖ形弾性片４１で該直立管４に接続されている。該第１Ｖ形弾性片４１は弾性片凸部４１１を両端部に具え、且つ該直立管４はこれに対応する凸部孔４１０を具え、該第１Ｖ形弾性片４１は実質上該直立管４の中空内部に位置し、該弾性片凸部４１１は該直立管４の凸部孔４１０より突出する。これにより、使用者は弾性片凸部４１１を押して該直立管４と可動コーナー装置３を接続或いは分離することができる。
【００１６】
図４に示されるように、本考案の提供するＴ形雄形継手５とＴ形雌形継手６は、それぞれ直立管４の挿通に供され、並びにリベットＲで固定され、該Ｔ形雄形継手５は水平雄型継手５１を具え、該水平雄型継手５１によりスライドスリーブ７と接続される。特に、該スライドスリーブ７は第１支持管８と接続され、即ちリベットＲで該スライドスリーブ７が第１支持管８の長凹溝８０に固定されて、スライドスリーブ７が第１支持管８の長凹溝８０内を移動可能とされ、第２Ｖ形弾性片８１は第１支持管８内に位置し、該第２Ｖ形弾性片８１の弾性片凸部８１１は第１支持管８外部に露出し、該弾性片凸部８１１を利用してスライドスリーブ７の移動を停止させることができる。
【００１７】
且つ第１支持管８と第２支持管９は第３Ｖ形弾性片９１を利用して結合され、そのうち、第３Ｖ形弾性片９１は第２支持管９の内部に位置し、並びにその弾性片凸部９１１が第２支持管９の外部に露出し、即ち、第１支持管８の凸部孔８１０が第３Ｖ形弾性片９１の弾性片凸部９１１に対応して第２支持管９と第１支持管８の組立／分離に供される。
【００１８】
さらに、該Ｔ形雌形継手６は水平雌形継手６１を具え、該水平雌形継手６１は第２支持管９との接続に供される。好ましくは、該Ｔ形雌形継手６の水平雌形継手６１のヘッドは表面凹溝６１０を具え、且つ第２支持管９がこれに対応する表面凹縁９２を具え、これにより第２支持管９が一定方向に水平雌形継手６１を挿入でき、これにより使用者が無理なく全体構造を了解でき、自分で組立／分解することができる。
【００１９】
さらに、図５、６は本考案の一対の折り曲げ装置の組立表示図であり、その一端は直立管４に接続され、もう一端は水平支持管１１に接続されている。各折り曲げ装置１０は更にスライドキー１０１、支持座１０２、弾性手段１０３、及び係止手段１０４を具え、そのうち該弾性手段１０３は直立管４内部に位置し並びに該係止手段１０４により係止され、該直立管４は長凹溝４２を具え、該スライドキー１０１のリベット孔１０１０に通されたリベットＲ１により、長凹溝４２の外側に位置づけられ、該リベットＲ１が係止手段１０４の孔１０４０に挿通されて、該スライドキー１０１と該係止手段１０４がそれぞれ長凹溝４２の内側と外側に固定されて、スライドキー１０１が該長凹溝４２において移動可能とされる。さらに説明すると、該直立管４の底端は固定部Ｈを利用してその開口が封じられ、且つ該Ｔ形雄形継手５とＴ形雌形継手６がそれぞれ二つの直立管４の長凹溝４２の上端に位置し（図５と図６はＴ形雌形継手５を示す）、これにより、該スライドキー１０１が該Ｔ形雄形継手５及び又はＴ形雌形継手６において停止させられる。このほか、好ましい実施例において、該スライドキー１０１は円柱体１０１１を具え、該円柱体１０１１は直立管４の挿通に供され、該円柱体１０１１の下縁両側に沿ってＵ形係合部１０１２があり、該支持座１０２の外郭が略Ｌ形を呈して、該直立管４と接続される垂直端に対立する一対の側板１０２Ａを具え、該側板１０２Ａの対立面に該Ｕ形係合部１０１２に対応するＵ形凹溝１０２１があり、これにより該スライドキー１０１が該支持座１０２に固定される。該支持座１０２は両側板１０２Ａに位置するリベット孔１０２０を具え、リベットＲ２がこれらリベット孔１０２０と直立管４のリベット孔４３を通り直立管４を側板１０２Ａの間に固定し、且つ該直立管４を該リベットＲ２の回転軸に沿って支持座１０２に対して回転可能としている。
【００２０】
使用時に、使用者は該スライドキー１０１の上縁を挟持して矢印の方向に移動させれば、Ｕ形係合部１０１２とＵ形凹溝１０２１の係合を解除させることができ、或いは、直立管４及び又は水平支持管１１を回転させて弾性手段１０３の弾力を利用し、Ｕ形係合部１０１２とＵ形凹溝１０２１を自動係合させることができる。
【００２１】
図７に示される使用状態を参照されたい。本考案の好ましい実施例の水平支持管１１は略扁平状を呈し、これによりマットレスＢがその上に置かれる時、それとマットレスＢの接触面積は比較的大きく、このためスライドしにくく、全体のガード装置がしっかりとマットレスＢの下に押さえつけられる。このほか、本考案はさらにＹ形可動帯１３とＬ形固定板１４を具え、該Ｙ形可動帯１３の両端１３Ａがそれぞれ水平支持管１１に固定され、もう一端がＬ形固定板１４に接続され、該Ｌ形固定板１４を利用しマットレスＢの側面に固定される。
【００２２】
図８は本考案のもう一つの使用状態参考図であり、収納時の構造を示す。関節装置１、可動コーナー装置３、折り曲げ装置１０を利用して、関節管２、直立管４及び水平支持管１１を完全に収納でき、これにより全体の収納体積を最小化することができる。
【図面の簡単な説明】
【００２３】
【図１】本考案の斜視図である。
【図２】本考案の好ましい実施例の斜視図である。
【図３】本考案の関節装置と可動コーナー装置の組立図である。
【図４】本考案のＴ形雄形継手／Ｔ形雌形継手の組立図である。
【図５】本考案の折り曲げ装置の組立図である。
【図６】本考案の折り曲げ装置の正面断面図である。
【図７】本考案の使用状態参考図である。
【図８】本考案の使用状態参考図である。
【符号の説明】
【００２４】
１  関節装置              １００  ボタン
２  関節管                ３  可動コーナー装置
３１  扁平挟持部          ３２  挿入管部
４  直立管                ４１、８１、９１  Ｖ形弾性片
４１１、８１１、９１１  弾性片凸部
４１０、８１０、９１０  凸部孔
４２  長凹溝              ４３、１０１０、１０２０  リベット孔
５  Ｔ形雄形継手          ５１  水平雄型継手
６  Ｔ形雌形継手          ６１  水平雌形継手
６１０  凹溝              Ｒ、Ｒ１、Ｒ２  リベット
Ｈ  固定部                ８  第１支持管
８０  長凹溝              ９  第２支持管
９２  溝                  １０  折り曲げ装置
１０１  スライドキー      １０１１  円柱体
１０１２  Ｕ形係合部      １０２  支持座
１０２Ａ  側板            １０２１  Ｕ形凹溝
１０３  弾性手段          １０４  係止手段
１１  水平支持管          １２  防護カバー
１３  Ｙ形可動帯          １４  Ｌ形固定板
Ｂ  マットレス
【図１】
0003101244.tif 000003
【図２】
0003101244.tif 000004
【図３】
0003101244.tif 000005
【図４】
0003101244.tif 000006
【図５】
0003101244.tif 000007
【図６】
0003101244.tif 000008
【図７】
0003101244.tif 000009
【図８】
0003101244.tif 000010